(57)【要約】【課題】基板を基板収納用マガジンへ収納する際に実装部品の破損を防止し、かつ、導入コストの上昇を抑制できる技術を提供することを目的とする。【解決手段】基板誤挿入防止治具１は、基板５０を収納する左側および右側を一対とする複数対の収納棚３５を有する基板収納用マガジン３０に取り付けられる。基板誤挿入防止治具１は、基板収納用マガジン３０の左側および右側の収納棚３５の前側を覆う本体部２と、本体部２における左側および右側の収納棚３５に対応する位置に設けられ、左側および右側を一対としそれぞれ左右方向に延びるスリット４と、一対における左側および右側の少なくとも一方のスリット４を開閉可能なストッパー６とを備えた。【選択図】図１
2018043774.tif 000002
【特許請求の範囲】
【請求項１】
基板を収納する左側および右側を一対とする複数対の収納棚を有する基板収納用マガジンに取り付けられる基板誤挿入防止治具であって、
前記基板収納用マガジンの前記左側および前記右側の前記収納棚の前側を覆う本体部と、
前記本体部における前記左側および前記右側の前記収納棚に対応する位置に設けられ、左側および右側を一対としそれぞれ左右方向に延びるスリットと、
前記一対における前記左側および前記右側の少なくとも一方の前記スリットを開閉可能なストッパーと、
を備えた、基板誤挿入防止治具。
【請求項２】
前記本体部は、前記左側および前記右側の前記収納棚の前側に配置され上下方向に延びる一対の板状部と、前記一対の板状部の上端同士および下端同士を連結する一対の連結部とを備えた、請求項１記載の基板誤挿入防止治具。
【請求項３】
前記基板収納用マガジンは、前記収納棚の上面を覆う上面部と、前記上面部上に設けられ前記上面部を補強する補強部をさらに有し、
前記基板誤挿入防止治具は、前記本体部の上端から後方に延びるように形成され、かつ、前記補強部に着脱可能に引っ掛ける引っ掛け部をさらに備えた、請求項１または請求項２記載の基板誤挿入防止治具。
【請求項４】
前記スリットが延設される左右方向は、前記収納棚の一対と対応していない斜め左右方向を含む、請求項１から請求項３のいずれか１項に記載の基板誤挿入防止治具。
【請求項５】
前記一対のスリットにおける左側または右側は、上下に配置された複数のスリットを含む、請求項１から請求項４のいずれか１項に記載の基板誤挿入防止治具。
【請求項６】
前記複数のスリットのうちの上側のスリットは下側のスリットよりも幅が大きく形成された、請求項５記載の基板誤挿入防止治具。
【発明の詳細な説明】
【技術分野】
【０００１】
本発明は、部品が実装された基板を基板収納用マガジンへ収納する際に、実装部品の破損を防止する技術に関するものである。
【背景技術】
【０００２】
プリント基板（以下、単に「基板」という）を製造する工程で、基板の収納に基板収納用マガジンが使用されている。ユーザー毎に基板形状、厚み、および実装部品の大きさが異なるため、基板収納用マガジンは、ユーザーの希望に合わせてカスタムで製作されることが望ましい。しかし、カスタムで製作すると製造コストが高くなるため、一般品の基板収納用マガジンを使用することが多い。
【０００３】
一般品の基板収納用マガジンにおいて、ユーザーの基板サイズに合わせて調整できるのは基板の幅方向のみであり、基板の長手方向、レール幅、およびピッチなどは調整できない。
【０００４】
基板収納用マガジンを使用する場合としては、装置で基板を収納する場合と、手動で基板を収納する場合がある。手動で基板を基板収納用マガジンに収納する場合、ある段に基板を収納した後、次の基板は次の段、すなわち、その前に収納した段とは別の段に収納される。基板収納用マガジンは同じピッチで段が並んでおり、一見どの段に基板が入っているのかが分かりにくい。また、上記のように、基板収納用マガジンは基板の長手方向に調整できないため、基板が基板収納用マガジンの奥に入った場合は、目で基板を認識しにくくなる。そうした場合、基板が収納された段に再度別の基板を収納しようとするという作業ミスが発生する。
【０００５】
基板が収納された段に再度別の基板を収納しようとした場合、レール幅が基板サイズに近ければ問題ないが、一般品の基板収納用マガジンはレール幅に余裕をもたせているため、レール幅は基板の厚みの２倍以上ある。
【０００６】
収納しようとした基板が、既に収納された基板に乗り上げて、収納しようとした基板の端面が既に収納された基板の実装部品にぶつかり、その実装部品を破損させるという問題があった。手動による基板収納作業では、注意していても繰り返し作業の中で作業ミスが発生する場合がある。
【０００７】
例えば、特許文献１には、内面に複数条の平行溝がそれぞれ同一ピッチで形成された一対の側板が対向に配置され、一方の側板に形成された平行溝と、他方の側板に形成された平行溝とに板材の外周部を挿入することにより、これを保持する板材収納枠が開示されている。板材収納枠では、側板の端面に、板材の挿入が禁止される平行溝を選択的に塞ぎ、板材の挿入が許容される平行溝を開放状態とする収納位置規制部材が、連結部材を介して着脱可能に取り付けてられている。
【０００８】
また、特許文献２には、対向する一対の側壁の内面にウエーハを収容する左右で高さの揃った複数対の収容棚と、収容棚にウエーハを出し入れする開口部を前面に有するカセット本体と、カセット本体に着脱自在に装着されて開口部を覆うとともに、複数対の収容棚に対応する複数の貫通スリットを有するウエーハ入れ補助板と、カセット本体とウエーハ入れ補助板とを着脱可能に係合する係合手段とを備えたウエーハ収容カセットが開示されている。
【０００９】
さらに、特許文献３には、開口部が形成された箱体の対向する側面に支持板が所定数並設され、開口部からウエハを挿入してウエハの両端を、支持板により対向して形成される溝部で支持するウエハ用キャリアが開示されている。ウエハ用キャリアでは、溝部に開閉手段である弁が設けられている。
【先行技術文献】
【特許文献】
【００１０】
【特許文献１】特開２０１１−１４３９５９号公報
【特許文献２】特開２０１２−１０４５８０号公報
【特許文献３】特開平４−２４２５７８号公報
【発明の概要】
【発明が解決しようとする課題】
【００１１】
しかしながら、特許文献１に記載の板材収納枠には貫通孔が必要であり、一般品とは違う仕様である。そのため、特別に板材収納枠を製作する必要があり、製造コストの上昇につながる。また、板材収納枠と収納位置規制部材とは連結部材としての樹脂製リベットを用いて固定されており、容易に着脱可能な構造ではない。そのため、板材収納枠は、装置で自動収納するような場合にも設置される。以上より、導入コストが上昇するという問題がある。
【００１２】
特許文献２に記載のウエーハ収容カセットでは、カセット本体にウエーハ入れ補助板を係合する係合手段としての係号ピンまたはガイド溝を設ける必要がある。そのため、特許文献１の場合と同様に、特別にカセット本体を製作する必要があり、製造コストの上昇につながり、ひいては導入コストが上昇するという問題がある。
【００１３】
特許文献３に記載のウエハ用キャリアでは、溝部に開閉手段である弁が設けられているが、弁は箱体と一体的に設けられており、着脱可能な構造ではない。そのため、ウエハ用キャリアは、装置で自動収納するような場合にも設置されることから、導入コストが上昇するという問題がある。
【００１４】
そこで、本発明は、基板を基板収納用マガジンへ収納する際に実装部品の破損を防止し、かつ、導入コストの上昇を抑制できる技術を提供することを目的とする。
【課題を解決するための手段】
【００１５】
本発明に係る基板誤挿入防止治具は、基板を収納する左側および右側を一対とする複数対の収納棚を有する基板収納用マガジンに取り付けられる基板誤挿入防止治具であって、前記基板収納用マガジンの前記左側および前記右側の前記収納棚の前側を覆う本体部と、前記本体部における前記左側および前記右側の前記収納棚に対応する位置に設けられ、左側および右側を一対としそれぞれ左右方向に延びるスリットと、前記一対における前記左側および前記右側の少なくとも一方の前記スリットを開閉可能なストッパーとを備えたものである。
【発明の効果】
【００１６】
本発明によれば、基板誤挿入防止治具は、基板収納用マガジンの左側および右側の収納棚の前側を覆う本体部と、本体部における左側および右側の収納棚に対応する位置に設けられ、左側および右側を一対としそれぞれ左右方向に延びるスリットと、一対における左側および右側の少なくとも一方のスリットを開閉可能なストッパーとを備えた。
【００１７】
したがって、ストッパーを用いて、基板が収納された収納棚に対応するスリットを閉めることで、基板の誤挿入を防止することができる。これにより、基板を基板収納用マガジンへ収納する際に実装部品の破損を防止することができる。
【００１８】
また、基板誤挿入防止治具は、一般品の基板収納用マガジンに対して着脱可能であるため、装置で自動収納するような場合には基板誤挿入防止治具を取り外すことができる。製造ライン内の全ての基板収納用マガジンに基板誤挿入防止治具を取り付ける必要はなく、基板誤挿入防止治具は、手動で収納作業を実施する工程のみに必要であるため、必要最低限の基板誤挿入防止治具を準備するだけでよく、基板誤挿入防止治具の導入コストの上昇を抑制できる。
【図面の簡単な説明】
【００１９】
【図１】実施の形態１に係る基板誤挿入防止治具を基板収納用マガジンに取り付ける前の状態を示す斜視図である。
【図２】基板収納用マガジンに基板誤挿入防止治具を取り付けた状態を示す斜視図である。
【図３】基板収納用マガジンに基板誤挿入防止治具を取り付けた状態を示す正面図である。
【図４】ストッパーの取り付け構造の拡大斜視図である。
【図５】実施の形態２に係る基板誤挿入防止治具を基板収納用マガジンに取り付けた状態を示す正面図である。
【図６】実施の形態３に係る基板誤挿入防止治具を基板収納用マガジンに取り付けた状態を示す正面図である。
【図７】前提技術を説明するための基板収納用マガジンの斜視図である。
【図８】前提技術を説明するための左側の収納棚の側面図である。
【図９】前提技術を説明するための左側の収納棚の正面図である。
【図１０】前提技術を説明するための基板収納用マガジンの正面図である。
【図１１】前提技術において基板を誤挿入した状態を示す左側の収納棚の側面図である。
【発明を実施するための形態】
【００２０】
＜前提技術＞
最初に前提技術について説明する。図７は、前提技術を説明するための基板収納用マガジン３０の斜視図である。図８は、前提技術を説明するための左側の収納棚３５の側面図であり、図９は、左側の収納棚３５の正面図である。図１０は、前提技術を説明するための基板収納用マガジン３０の正面図である。図１１は、前提技術において基板５０を誤挿入した状態を示す左側の収納棚３５の側面図である。
【００２１】
図７に示すように、基板を製造する工程で、基板の収納に基板収納用マガジン３０が使用されている。基板収納用マガジン３０は、一般品の基板収納用マガジンであり、一対の側面部３１、矩形状の上面部３２、矩形状の底面部３３、および複数対の収納棚３５を備えている。基板収納用マガジン３０の前側および後側は開放され、基板収納用マガジン３０の内部に空間３４が形成されている。一対の側面部３１は、底面部３３の上面に互いに対向する位置に配置されている。ここで、一対の側面部３１は左右同じ構造であるため、右側の側面部３１について説明する。右側の側面部３１は、前後に配置された一対の柱部３１ａ，３１ｂ、および一対の柱部３１ａ，３１ｂを上端で連結する連結部３１ｃを備えている。
【００２２】
複数対の収納棚３５は、一対の側面部３１の内面に設けられている。より具体的には、複数対の収納棚３５は、一対の柱部３１ａ，３１ｂおよび連結部３１ｃで囲まれた領域の内側に固定され、基板を収納する左側および右側を一対としている。左側および右側における各収納棚３５は、上下方向に予め定められた間隔をあけて配置されており、一対の収納棚３５に１つの基板が収納可能に構成されている。
【００２３】
上面部３２は、例えば金属製であり、一対の側面部３１の上端に配置され収納棚３５の上面を覆っている。上面部３２の周縁部に、上面部３２を補強する補強部３２ｂが設けられている。すなわち、補強部３２ｂは、上面部３２の上面における前端部、後端部、左端部、および右端部に渡って設けられている。補強部３２ｂは、上面部３２の周縁部を曲げ加工またはプレス加工することにより、上面部３２の上面３２ａから上方に突出するように形成されている。なお、上面部３２が樹脂製の場合は、補強部として、例えば左右方向に延びるリブが上面部３２の上面に前後方向に複数設けられる。
【００２４】
図８と図９に示すように、基板収納用マガジン３０において、ユーザーの基板サイズに合わせて調整できるのは基板の幅方向のみであり、基板の長手方向、レール幅、およびピッチなどは調整できない。
【００２５】
図１０に示すように、手動で基板５０を基板収納用マガジン３０に収納する場合、ある段に基板５０を収納した後、次の基板５０は次の段、すなわち、その前に収納した段とは別の段に収納される。基板収納用マガジン３０は基板５０の長手方向に調整できないため、基板５０が基板収納用マガジン３０の奥に入った場合は、目で基板５０を認識しにくくなる。そうした場合、基板５０が収納された段に再度別の基板５０を収納しようとするという作業ミスが発生する。
【００２６】
図１１に示すように、基板５０が収納された段に再度別の基板５０を収納しようとした場合、レール幅が基板サイズに近ければ問題ないが、一般品の基板収納用マガジン３０はレール幅に余裕をもたせているため、レール幅は基板の厚みの２倍以上の幅がある。収納しようとした基板５０が、既に収納された基板５０に乗り上げて、収納しようとした基板５０の端面が既に収納された基板５０の実装部品５０ａにぶつかり、その実装部品５０ａを破損させるという問題があった。手動による基板収納作業では、注意していても繰り返し作業の中で作業ミスが発生する場合があった。実施の形態１に係る基板誤挿入防止治具１は、以上のような課題を解決するものである。
【００２７】
＜実施の形態１＞
本発明の実施の形態１について、図面を用いて以下に説明する。図１は、実施の形態１に係る基板誤挿入防止治具１を基板収納用マガジン３０に取り付ける前の状態を示す斜視図であり、図２は、基板収納用マガジン３０に基板誤挿入防止治具１を取り付けた状態を示す斜視図である。なお、基板収納用マガジン３０は、前提技術において説明したものと同じであるため説明を省略する。
【００２８】
図１と図２に示すように、基板誤挿入防止治具１は、基板収納用マガジン３０に取り付けられる治具である。基板誤挿入防止治具１は、本体部２、引っ掛け部３、複数対のスリット４、およびストッパー６を備えている。本体部２は、上下方向に延びる一対の板状部２ａ，２ｂ、および一対の連結部２ｃ，２ｄを備えている。左側の板状部２ａは、左側の収納棚３５の前側に配置され、右側の板状部２ｂは、右側の収納棚３５の前側に配置されている。一対の連結部２ｃ，２ｄは、上下に配置されている。上側の連結部２ｃは、一対の板状部２ａ，２ｂの上端同士を連結し、下側の連結部２ｄは、一対の板状部２ａ，２ｂの下端同士を連結している。これにより、本体部２は開口５を有する枠状に形成され、本体部２の一対の板状部２ａ，２ｂにより右側および左側の収納棚３５の前側がそれぞれ覆われている。また、本体部２の開口５は、基板収納用マガジン３０の空間３４と連通している。
【００２９】
引っ掛け部３は、本体部２の上端、より具体的には上側の連結部２ｃから後方に延びるように形成されている。また、引っ掛け部３の先端部は、鉤状に形成されており、基板収納用マガジン３０の上面部３２の上面の前端部における補強部３２ｂに着脱可能に引っ掛けるようになっている。なお、上面部３２が樹脂製の場合、上面部３２の上面に設けられた左右方向に延びるリブに引っ掛け部３の先端部が引っ掛けられる。
【００３０】
図３に示すように、複数対のスリット４は、本体部２における左側および右側の収納棚３５に対応する位置に設けられている。より具体的には、複数対のスリット４は、左側および右側の板状部２ｂの内側部分における上下方向に予め定められた間隔をあけて設けられている。また、スリット４は、左側および右側を一対としそれぞれ左右方向に延びるように形成されている。複数対のスリット４は、複数対の収納棚３５に合わせて設計されており、基板誤挿入防止治具１が基板収納用マガジン３０に取り付けられたときに、左右方向、および上下方向にずれることなく、基板収納用マガジン３０の基板挿入位置と基板誤挿入防止治具１のスリット４の位置が一致するようになっている。
【００３１】
ストッパー６は、一対における左側および右側の少なくとも一方のスリット４を開閉可能に構成されている。より具体的には、ストッパー６は、右側のスリット４を開閉可能に構成されている。なお、ストッパー６は、右側のスリット４ではなく、左側のスリット４を開閉可能に構成されていてもよいし、左側および右側のスリット４を開閉可能に構成されていてもよいが、開閉操作の容易性および製造コストの観点から右側および左側のスリット４のいずれかに開閉可能に構成されることが望ましい。
【００３２】
図３に示すように、ストッパー６は、右側のスリット４を覆うことが可能に右側のスリット４よりも大きな板状に形成されている。また、ストッパー６は、右側のスリット４に対して左右方向に移動可能に構成されている。ストッパー６が右側位置に位置するときは右側のスリット４は開状態となり、一対のスリット４を介して一対の収納棚３５に基板５０を収納可能である。他方、ストッパー６が左側位置に位置するときは右側のスリット４は閉状態となり、右側のスリット４に基板５０を挿入できないため、一対のスリット４を介して一対の収納棚３５に基板５０を収納できない。このように、最初にストッパー６を右側位置に移動させて右側のスリット４を開状態とし、一対のスリット４を介して一対の収納棚３５に基板５０を収納する。そして、ストッパー６を左側位置に移動させて右側のスリット４を閉状態とし、一対のスリット４を介して一対の収納棚３５に基板５０が収納されないようにする。これにより、基板５０の誤挿入を防止することができる。
【００３３】
次に、ストッパー６の取り付け構造について説明する。図４は、ストッパー６の取り付け構造の拡大斜視図である。図４に示すように、右側の板状部２ｂの内部に、左右方向に延びる収容穴（図示省略）が上下方向に予め定められた間隔をあけて複数設けられている。ここで、収容穴はストッパー６を収容するための穴である。収容穴は、右側に開放するように設けられ、ストッパー６の外形寸法よりも僅かに大きく形成されている。また、収容穴は、右側のスリット４と連通している。ストッパー６は、平面視にて横長の矩形状に形成されており、ストッパー６の中央部における前面には、正面視にて矩形状の突出部６ａが前方に突出するように設けられている。
【００３４】
右側の板状部２ｂの前面におけるスリット４よりも右側には、規制部２ｅが設けられている。規制部２ｅは、平面視にて横長の矩形穴の周縁部に前方に突出する枠状に形成されている。すなわち、規制部２ｅは横長の矩形枠状に形成されている。規制部２ｅの矩形穴の左右長さは、ストッパー６の突出部６ａの左右長さの約２倍である。ストッパー６が右側の板状部２ｂの収容穴に収容された状態で、突出部６ａが規制部２ｅの矩形穴に嵌め込まれている。ストッパー６が右側位置に位置するときは、突出部６ａが規制部２ｅの右端部に当接することでストッパー６が抜け落ちないようになっている。他方、ストッパー６が左側位置に位置するときは、突出部６ａが規制部２ｅの左端部に当接することでスリット４を覆うための正確な位置にストッパー６を位置決めしている。このように、規制部２ｅがストッパー６の左右方向への移動を規制している。
【００３５】
次に、基板誤挿入防止治具１の使用方法について説明する。図１と図２に示すように、手動で収納作業を実施する工程において、使用者は、基板誤挿入防止治具１の引っ掛け部３を基板収納用マガジン３０の上面部３２の前端部における補強部３２ｂに引っ掛けることで、基板誤挿入防止治具１を基板収納用マガジン３０に取り付ける。
【００３６】
図３に示すように、使用者は、ストッパー６を右側位置に移動させて右側のスリット４を開状態とし、一対のスリット４を介して一対の収納棚３５に基板５０を収納する。そして、使用者は、基板５０が収納された収納棚３５に対してストッパー６を左側位置に移動させて右側のスリット４を閉状態とし、一対のスリット４を介してこの収納棚３５に基板５０が収納されないようにする。これにより、基板５０の誤挿入を防止することができる。使用者は、全ての基板５０の収納を終えたとき、基板誤挿入防止治具１の引っ掛け部３を補強部３２ｂから引き離すことで、基板誤挿入防止治具１を基板収納用マガジン３０から取り外し、基板収納用マガジン３０を次の製造工程へ移動させる。
【００３７】
以上のように、実施の形態１に係る基板誤挿入防止治具１は、基板収納用マガジン３０の左側および右側の収納棚３５の前側を覆う本体部２と、本体部２における左側および右側の収納棚３５に対応する位置に設けられ、左側および右側を一対としそれぞれ左右方向に延びるスリット４と、一対における左側および右側の少なくとも一方のスリット４を開閉可能なストッパー６とを備えた。
【００３８】
したがって、ストッパー６を用いて、基板５０が収納された収納棚３５に対応するスリット４を閉めることで、基板５０の誤挿入を防止することができる。これにより、基板５０を基板収納用マガジン３０へ収納する際に実装部品５０ａの破損を防止することができる。
【００３９】
また、基板誤挿入防止治具１は、一般品の基板収納用マガジン３０に対して着脱可能であるため、装置で自動収納するような場合には基板誤挿入防止治具１を取り外すことができる。製造ライン内の全ての基板収納用マガジン３０に基板誤挿入防止治具１を取り付ける必要はなく、基板誤挿入防止治具１は、手動で収納作業を実施する工程のみに必要であるため、必要最低限の基板誤挿入防止治具１を準備するだけでよく、基板誤挿入防止治具１の導入コストの上昇を抑制できる。
【００４０】
本体部２は、左側および右側の収納棚３５の前側に配置され上下方向に延びる一対の板状部２ａ，２ｂと、一対の板状部２ａ，２ｂの上端同士および下端同士を連結する一対の連結部２ｃ，２ｄとを備えた。したがって、使用者は、左側の板状部２ａおよび右側の板状部２ｂを別々に着脱するのではなく一括して着脱することができるため、基板誤挿入防止治具１の着脱を容易に行うことができる。
【００４１】
基板収納用マガジン３０は、収納棚３５の上面を覆う上面部３２と、上面部３２上に設けられ上面部３２を補強する補強部３２ｂをさらに有し、基板誤挿入防止治具１は、本体部２の上端から後方に延びるように形成され、かつ、補強部３２ｂに着脱可能に引っ掛ける引っ掛け部３をさらに備えた。したがって、上面部３２上に補強部３２ｂを備える一般品の基板収納用マガジン３０を使用して基板５０の誤挿入の防止を図ることができるため、基板収納用マガジン３０に特別な加工または追加部品が不要となる。これにより、基板誤挿入防止治具１の導入コストの上昇をさらに抑制できる。
【００４２】
＜実施の形態２＞
次に、実施の形態２に係る基板誤挿入防止治具１について説明する。図５は、実施の形態２に係る基板誤挿入防止治具１を基板収納用マガジン３０に取り付けた状態を示す正面図である。なお、実施の形態２において、実施の形態１で説明したものと同一の構成要素については同一符号を付して説明は省略する。
【００４３】
図５に示すように、実施の形態２においては、スリット４が延設される左右方向は、収納棚３５の一対と対応していない斜め左右方向を含んでいる。すなわち、実施の形態２におけるスリット４は、左側および右側を一対とし斜め左右方向に延びるように形成されており、収納棚３５に対して、スリットの高さ位置が左右で異なっている。ここで、斜め左右方向とは、スリット４の左端よりも右端の方が高い高さ位置となる方向である。なお、め左右方向は、スリット４の右端よりも左端の方が高い高さ位置となる方向であってもよく、この場合、ストッパー６は右側の板状部２ｂではなく、左側の板状部２ａに設けられることが望ましい。
【００４４】
上記のように、収納棚３５に対して、スリット４の高さ位置が左右で異なっているため、基板５０の挿入角度に合わせて、スリット４およびストッパー６の角度を調整することで、基板５０を斜めの状態で挿入しやすい構造となっている。なお、図５では、収納棚３５に対して、上下方向に１段ずつあけてスリット４が形成されているが、２段以上ずつあけてスリット４が形成されていてもよい。
【００４５】
以上のように、実施の形態２に係る基板誤挿入防止治具１では、スリット４が延設される左右方向は、収納棚３５の一対と対応していない斜め左右方向を含むため、例えば、基板５０上に液体を塗布し、液体が付着してはいけない禁止エリアを上側、すなわち、図５において右側にして、基板５０を基板収納用マガジン３０に収納し乾燥させるときに効果を発揮する。具体的には、液体が付着してはいけない禁止エリアを上側にして基板５０を基板収納用マガジン３０に収納することで、液体が当該禁止エリアに付着することを防止することができる。
【００４６】
＜実施の形態３＞
次に、実施の形態３に係る基板誤挿入防止治具１について説明する。図６は、実施の形態３に係る基板誤挿入防止治具１を基板収納用マガジン３０に取り付けた状態を示す正面図である。なお、実施の形態３において、実施の形態１，２で説明したものと同一の構成要素については同一符号を付して説明は省略する。
【００４７】
図６に示すように、実施の形態３においては、一対のスリットにおける左側または右側は、上下に配置された複数のスリットを含んでいる。より具体的には、右側の板状部２ｂにおけるスリット４は、収納棚３５に対して上下方向に一段ずつあけて設けられている。左側の板状部２ａにおけるスリット４は、右側のスリット４と同じ高さ位置に設けられている。すなわち、左側の板状部２ａにおけるスリット４も、右側の板状部２ｂにおけるスリット４と同様に、収納棚３５に対して上下方向に一段ずつあけて設けられている。また、左側の板状部２ａにおける上下方向に一段ずつあけた位置に、スリット４よりも幅の広いスリット１４が形成されている。すなわち、左側の複数のスリット４，１４のうちの上側のスリット１４は下側のスリット４よりも幅が大きく形成されている。
【００４８】
上記のように、実施の形態３に係る基板誤挿入防止治具１は、収納棚３５に対して、スリットの数が左右で異なり、さらにスリットの幅が異なるため、基板５０の上側に連結ピン５２を介して、基板５０よりも幅が短い基板５１が固定された製品、すなわち、多段式の製品を収納しやすい構造となっている。また、製品によっては、下側と上側の基板の高さ位置は様々であるため、上側のスリット幅は下側のスリット幅よりも大きく設計されている。なお、図６では、左側の板状部２ａにスリット１４が形成されているが、左側の板状部２ａではなく右側の板状部２ｂにスリット１４が形成されていてもよいし、左側の板状部２ａおよび右側の板状部２ｂにスリット１４が形成されていてもよい。
【００４９】
以上のように、実施の形態３に係る基板誤挿入防止治具１は、一対のスリットにおける左側または右側は、上下に配置された複数のスリット４，１４を含むため、多段式の製品を収納する際に有効である。
【００５０】
複数のスリット４，１４のうちの上側のスリット１４は下側のスリット４よりも幅が大きく形成されたため、上側の基板５１の高さ位置を変更した場合にも対応できることから製品設計の自由度が向上する。
【００５１】
なお、本発明は、その発明の範囲内において、各実施の形態を自由に組み合わせたり、各実施の形態を適宜、変形、省略することが可能である。
【符号の説明】
【００５２】
１  基板誤挿入防止治具、２  本体部、２ａ，２ｂ  板状部、２ｃ，２ｄ  連結部、３  引っ掛け部、４  スリット、６  ストッパー、１４  スリット、３０  基板収納用マガジン、３２  上面部、３２ｂ  補強部、３５  収納棚、５０，５１  基板。
【図１】
2018043774.tif 000003
【図２】
2018043774.tif 000004
【図３】
2018043774.tif 000005
【図４】
2018043774.tif 000006
【図５】
2018043774.tif 000007
【図６】
2018043774.tif 000008
【図７】
2018043774.tif 000009
【図８】
2018043774.tif 000010
【図９】
2018043774.tif 000011
【図１０】
2018043774.tif 000012
【図１１】
2018043774.tif 000013